(57)【要約】      （修正有）【課題】人体の頚椎を伸ばすと共に、腹部の筋肉や腕の力を鍛えるストレッチ器具を提供する。【解決手段】本体台１と、フット部２と、アーム部３と、フレーム４とを含み、該本体台はフレームの中部に取り付けられ、フット部とアーム部はフレームの両端に取り付けられ、フレームは複数の縦方向延伸嵌合管４１によって構成され、且つ多数の縦方向延伸嵌合管を縦方向に伸縮する縦方向延伸調節機構４４を設置し、縦方向延伸調節機構上のレバーを動かし、噛合する円形歯車とラックを通して、第一嵌合管に対して第二嵌合管を伸長させる。よって、使用者は縦方向に引っ張られ、頚椎をストレッチする目的を果し、アーム部はスイング棒３１とグリップ３２によって構成され、グリップ棒と連接棒は弾性ロック部によって調節されて連結し、弾性ロック部上の突出ボタンを押すことにより長さ調節を実現できる。【選択図】図３
0003173579.tif 000002
【実用新案登録請求の範囲】
【請求項１】
フレームの中部に取り付ける本体台と、フレームの両端に取り付けるフット部及びアーム部と、縦方向延伸嵌合管、前足部、後足部、縦方向延伸調節機構によって構成されるフレームと、を含むストレッチ器具において、
前記縦方向延伸嵌合管は、三つの嵌合管によって構成され、第一嵌合管の両端は前足部と後足部上に固着され、第二嵌合管は可動状態で第一嵌合管内に嵌設され、第一嵌合管に対して縦方向に伸縮し、第三嵌合管の一端は可動状態で第二嵌合管内に嵌設され、
前記縦方向延伸調節機構は、第一嵌合管の中部に取り付けられると共に、レバー、円形歯車、ラックを含み、前記レバーはＬ字形をなし、円形歯車をＬ字形のレバーの下端に嵌設し、ラックは第二嵌合管の側壁に取り付けられ、第二嵌合管を第一嵌合管に挿入すると、ラックと円形歯車は噛合し、
前記アーム部は、グリップとスイング棒によって構成され、前記スイング棒は、グリップ棒、弾性ロック部、連接棒によって構成され、前記連接棒は一つの管体であり、管壁上には縦方向に複数個の定位孔を設け、連接棒の一端をヒンジで第一嵌合管の側面に連結し、ヒンジの接点の周囲を枢動し、
前記グリップ棒はＬ字形をなし、前記グリップ棒の垂直段にグリップを嵌着し、前記グリップ棒の水平段と連接棒の他端とを嵌着し、グリップ棒の水平段の管壁には貫通孔を設け、グリップ棒の水平段管壁上の貫通孔は、連接棒管壁上の複数個の定位孔に対応し、
前記弾性ロック部はＵ形状をなし、その一自由端には外側方向の突出ボタンを設け、弾性ロック部はグリップ棒の水平段の中空内部に嵌着され、弾性ロック部上の突出ボタンは、グリップ棒の水平段管壁上の貫通孔と連接棒管壁上の複数個の定位孔中の一貫通孔を突き抜けることを特徴とするストレッチ器具。
【請求項２】
前記連接棒の管壁上には、三つの定位孔を設けることを特徴とする、請求項１に記載のストレッチ器具。
【請求項３】
前記縦方向延伸調節機構の円形歯車の両端は、面取りすることを特徴とする、請求項１に記載のストレッチ器具。
【考案の詳細な説明】
【技術分野】
【０００１】
本考案は、特にストレッチに関する健康器具に関するものである。
【背景技術】
【０００２】
腹筋トレーニング器具は主に、人体の腹部の筋肉の鍛錬に用いるもので、健康な身体を強化することを目的とする。現有する腹筋トレーニング器具は、人体の腹部の筋肉の鍛錬を用途とするだけで、人体の頚椎を伸ばしたり、腕の力を鍛えたりする機能は兼ね備えておらず、応用範囲が狭いという問題あった。
【考案の概要】
【考案が解決しようとする課題】
【０００３】
本考案の主な目的は、人体の頚椎を伸ばすと共に、腹部の筋肉や腕の力を鍛えるストレッチ器具を提供することにある。
【課題を解決するための手段】
【０００４】
上述の目的を実現するために採用する本考案の技術解決手段は次のとおりである。
【０００５】
本考案のストレッチ器具は、本体台と、フット部と、アーム部と、フレームとを含む。該本体台はフレームの中部に取り付け、フット部とアーム部は、フレームの両端にそれぞれ取り付ける。フレームは主に、縦方向延伸嵌合管、前足部、後足部、縦方向延伸調節機構によって構成される。前記縦方向延伸嵌合管は、三嵌合管によって構成される。第一嵌合管の両端は前足部と後足部上に固着し、第二嵌合管は可動状態で第一嵌合管内に嵌入し、第一嵌合管に対して縦方向に伸縮し、第三嵌合管の一端は可動状態で第二嵌合管内に嵌入する。前記縦方向延伸調節機構は第一嵌合管の中部に取り付け、縦方向延伸調節機構は、レバー、円形歯車、ラックを含む。前記レバーはＬ字形で、円形歯車をＬ字形のレバーの下端に嵌設し、ラックは第二嵌合管の側壁に取り付ける。第二嵌合管を第一嵌合管に挿入すると、ラックと円形歯車は噛み合う。前記アーム部は主に、グリップとスイング棒によって構成される。前記スイング棒は、グリップ棒、弾性ロック部、連接棒によって構成される。前記連接棒は一管体で、管壁上には縦方向に複数個の定位孔を設け、連接棒の一端をヒンジで第一嵌合管の側面に連結し、ヒンジの接点の周囲を枢動する。前記グリップ棒はＬ字形をなし、その垂直段にグリップを嵌着し、その水平段と連接棒の他の一端とを嵌着し、グリップ棒の水平段の管壁には貫通孔を設け、グリップ棒の水平段管壁上の貫通孔は、連接棒管壁上の複数個の定位孔に対応する。前記弾性ロック部はＵ形状をなし、その一自由端には外側方向の突出ボタンを設け、弾性ロック部はグリップ棒の水平段の中空内部に嵌着し、弾性ロック部上の突出ボタンは、グリップ棒の水平段管壁上の貫通孔と連接棒管壁上の複数個の定位孔中の一貫通孔を突き抜ける。
【０００６】
前記連接棒の管壁上には三定位孔を設ける。
【０００７】
前記縦方向延伸調節機構の円形歯車の両端は面取りする。
【考案の効果】
【０００８】
本考案のフレーム本体は、複数の縦方向延伸嵌合管によって構成され、且つ、多数の縦方向延伸嵌合管を縦方向に伸縮する縦方向延伸調節機構を設置し、縦方向延伸調節機構上のレバーを動かし、噛合する円形歯車とラックを通して、第一嵌合管に対して第二嵌合管を伸長させる。これにより、本体台に横になっていた使用者は縦方向に引っ張られ、頚椎をストレッチする目的を果たす。また、本考案のアーム部は主に、スイング棒とグリップによって構成される。前記スイング棒内のグリップ棒と連接棒は弾性ロック部によって調節されて連結し、弾性ロック部上の突出ボタンを押すことにより長さ調節を実現できるため、非常に便利に調節できる。
【図面の簡単な説明】
【０００９】
【図１】本考案の立体外観図である。
【図２】本考案の背面図である。
【図３】本考案の一部分解図である。
【図４】本考案全体の分解図である。
【考案を実施するための形態】
【００１０】
以下、本考案の実施の形態を図面に基づいて説明する。
【００１１】
図１及び図２に示すとおり、本考案のストレッチ器具は、本体台１と、フット部２と、アーム部３と、フレーム４と弾力紐（図示せず）とを含む。
【００１２】
前記本体台１はフレーム４の中部に取り付け、フット部２とアーム部３は、フレーム４の両端にそれぞれ取り付け、弾力紐の一端はフット部２の固定管グリップ棒２３の両端に連結する。
【００１３】
図３及び図４に示すとおり、フレーム４は主に、縦方向延伸嵌合管４１、前足部４２、後足部４３、縦方向延伸調節機構４４によって構成される。前記縦方向延伸嵌合管４１は、三嵌合管によって構成される。第一嵌合管４１１の両端は前足部４２と後足部４３上に固着し、第二嵌合管４１２は可動状態で第一嵌合管４１１内に嵌入して第一嵌合管４１１に対して縦方向に伸縮し、第三嵌合管４１３の一端は可動状態で第二嵌合管４１２内に嵌入し、第三嵌合管４１３上には縦方向に複数個の定位孔４１３１を設ける。定位孔４１３１と第二嵌合管４１２末端の定位孔４１２１とは対応し、定位孔４１２１、定位孔４１３１に挿入する定位ネジ４１５によって定位し、第二嵌合管４１２対して伸ばす第三嵌合管４１３の長さを限定する。
【００１４】
前記縦方向延伸調節機構４４は第一嵌合管４１１の中部に取り付け、縦方向延伸調節機構４４は、レバー４４１、円形歯車４４２、ラック４４３を含む。前記レバー４４１はＬ字形で、円形歯車４４２をＬ字形のレバー４４１の下端に嵌設し、ラック４４３は第二嵌合管４１２の側壁に取り付ける。第二嵌合管４１２を第一嵌合管４１１に挿入すると、ラック４４３と円形歯車４４２は噛み合う。また、前記円形歯車４４２の両端を面取りする。
【００１５】
前記フット部２は、グリップ２１、固定嵌合管２２、固定管グリップ棒２３、可動管２４、可動管グリップ棒２５によって構成される。固定嵌合管２２下部の一面はフレーム４上に固着し、固定管グリップ棒２３の両端は外方向に延伸し、尚且つ、固定嵌合管２２と十字交差する。可動管２４の下端は可動状態で固定嵌合管２２内に挿着する。可動管グリップ棒２５の中央部は可動管２４の上端に垂直状態で固着し、可動管グリップ棒２５の両端は外方向に延伸し、尚且つ、可動管２４と十字交差する。前記グリップ２１は四つで、固定管グリップ棒２３と可動管グリップ棒２５に対して外向きの平行延長線上にそれぞれを嵌着する。使用時は、可動管２４を上方向に一定距離引っ張り上げて、使用者の異なる要求に応える。
【００１６】
前記アーム部３は主に、スイング棒３１とグリップ３２によって構成され、前記スイング棒３１は、グリップ棒３１１、弾性ロック部３１２、連接棒３１３によって構成される。前記連接棒３１３は一管体で、管壁上には縦方向に三つの定位孔３１３１を設け（図２参照）、連接棒３１３の一端をヒンジで第一嵌合管４１１の側面に連結し、ヒンジの接点の周囲を枢動する。前記グリップ棒３１１はＬ字形をなし、その垂直段にグリップ３２を嵌着し、その水平段と連接棒３１３の他の一端とを嵌着し、グリップ棒３１１の水平段の管壁には貫通孔を設け、該貫通孔は、連接棒３１３の管壁上の三定位孔３１３１に対応する。前記弾性ロック部３１２はＵ形状をなし、その一自由端には外側方向の突出ボタン３１２１を設け、弾性ロック部３１２はグリップ棒３１１の水平段の中空内部に嵌着し、弾性ロック部３１２上の突出ボタン３１２１は、グリップ棒３１１の水平段管壁上の貫通孔と連接棒３１３管壁上の三定位孔３１３１中の一貫通孔を突き抜け、グリップ棒３１１と連接棒３１３を固定する。
【００１７】
続いて、本考案の作動原理を説明する。
【００１８】
使用者は本体台１に横になり、足をフット部２の固定管グリップ棒２３と可動管グリップ棒２５の間に入れ、わきの下でアーム部３の二グリップ３２を挟み込み、手でレバー４４１を動かすと、円形歯車４４２が回転し、尚且つ、円形歯車４４２と噛合し第二嵌合管４１２上に固着したラック４４３が従動され、第一嵌合管４１１に対して縦の外方向に延伸するため、使用者は縦方向に引っ張られて、人体の頚椎をストレッチする目的を達成する。また、使用者は、弾性ロック部３１２の突出ボタン３１２１を押すと、長さの調節が可能となり、非常に便利に調節できる。
【符号の説明】
【００１９】
１：本体台、２：フット部、２１：グリップ、２２：固定嵌合管、２３：固定管グリップ棒、２４：可動管、２５：可動管グリップ棒、３：アーム部、３１：スイング棒、３１１：グリップ棒、３１２：弾性ロック部、３１２１：突出ボタン、３２：グリップ、３１３：連接棒、３１３１：定位孔、４：フレーム、４１：縦方向延伸嵌合管、４１１：第一嵌合管、４１２：第二嵌合管、４１２１：定位孔、４１３：第三嵌合管、４１３１：定位孔、４１５：定位ネジ、４２：前足部、４３：後足部、４４：縦方向延伸調節機構、４４１：レバー、４４２：円形歯車、４４３：ラック。
【図１】
0003173579.tif 000003
【図２】
0003173579.tif 000004
【図３】
0003173579.tif 000005
【図４】
0003173579.tif 000006